(57)【要約】【課題】  根掛かりした場合のルアー本体を回収できることに加えて、通常の釣りに際してルアー本体を思い通りに動かすことができるようにする。【解決手段】  釣り竿から引き出される道糸に結び付けられる力糸Ａと、釣鉤２０に取り付けられて力糸Ａに結び付けられる鉤素Ｂとを挿通するための挿通孔５を、ルアー本体１に貫通して形成し、挿通孔５の後端開口周縁部に釣鉤２０を当接させ、力糸Ａの抜け止め手段を、挿通孔５の前端開口周縁部に突設された、複数の雄ねじ片１６ｄからなるテーパ雄ねじ１６と、該各雄ねじ片１６ｄに螺合する筒状のテーパ雌ねじ１７とで構成し、各雄ねじ片１６ｄの先端部の内面に径内方向に突起１６ｅを形成し、各突起１６ｅの内面によって、挿通孔５に連通する連通孔１８を形成すると共に、該連通孔１８の径を、テーパ雌ねじ１７の螺合状態によって拡縮する。【選択図】図１
2007282594.tif 000002
【特許請求の範囲】
【請求項１】
釣り竿から引き出される道糸に結び付けられる力糸（Ａ）と、釣鉤（２０）が取り付けられて力糸（Ａ）に結び付けられる鉤素（Ｂ）とを挿通するための挿通孔（５）が、ルアー本体（１）を貫通して形成され、しかも、釣鉤（２０）は、挿通孔（５）の後端開口周縁部に接離可能に当接され、さらに、力糸（Ａ）が挿通孔（５）から抜け出ることを防止するための抜け止め手段が設けられてなることを特徴とするルアー。
【請求項２】
上記抜け止め手段は、
上記挿通孔（５）の前端開口周縁部に突設された、複数の雄ねじ片（１６ｄ）からなるテーパ雄ねじ（１６）と、該各雄ねじ片（１６ｄ）に螺合する筒状のテーパ雌ねじ（１７）とで構成され、
しかも、各雄ねじ片（１６ｄ）は、その先端部の内面に径内方向に突起（１６ｅ）が形成され、
さらに、各突起（１６ｅ）の内面によって、挿通孔（５）に連通する連通孔（１８）が形成されると共に、該連通孔（１８）の径が、テーパ雌ねじ（１７）の螺合状態によって縮小されてなることを特徴とする請求項１に記載のルアー。
【請求項３】
上記抜け止め手段は、
上記挿通孔（５）に交差するよう、且つ少なくとも一端部がルアー本体（１）を貫通するよう形成された連通孔（２６）と、該連通孔（２６）に移動自在に設けられた抜け止め部材（２５）とで構成され、
該抜け止め部材（２５）は、力糸（Ａ）を挿通するための通し孔（３１）が形成された抜け止め部材本体（３０）と、
該抜け止め部材本体（３０）を連通孔（２６）の開口端部（２７）側に常時付勢する弾性部（２９）と、
該弾性部（２９）の付勢力によって、連通孔（２６）の開口周縁部に離脱可能に、且つ連通孔（２６）に進退可能になるよう設けられた押圧部（３２）とを備えてなることを特徴とする請求項１に記載のルアー。
【請求項４】
上記ルアー本体（１）は魚形状を呈しており、
押圧部（３２）が接離可能に、且つ進退可能になるよう設けられた上記連通孔（２６）の開口端部（２７）は、ルアー本体（１）の少なくとも一方の目の位置に形成されてなることを特徴とする請求項３に記載のルアー。
【請求項５】
上記抜け止め手段は、
ルアー本体（１）を貫通して挿通孔（５）に連通するよう形成されたねじ孔（３６）と、
該ねじ孔（３６）に螺合する螺棒（３７）と、挿通孔（５）に位置する該螺棒（３７）の先端部に設けられた、力糸（Ａ）を抜け止めするための当接体（３８）とで構成されてなることを特徴とする請求項１に記載のルアー。
【請求項６】
上記抜け止め手段は、
上記挿通孔（５）の前側に形成された小径部（５ａ）及び後側に形成された大径部（５ｂ）と、
力糸（Ａ）に結び付けられる、大径部（５ｂ）よりも小さくて小径部（５ａ）よりも大きな止めゴム又はガン玉からなる抜け止め部材（４５）とで構成され、
力糸（Ａ）が挿通孔（５）に挿通されて、釣鉤（２０）が挿通孔（５）の後端開口周縁部に当接された状態において、力糸（Ａ）に結び付けられた抜け止め部材（４５）が大径部（５ｂ）に位置するよう構成されてなることを特徴とする請求項１に記載のルアー。
【請求項７】
ルアー本体（１）を貫通して挿通孔（５）が形成される一方、
その両端部に、力糸（Ａ）を結び付けるための力糸接続用リング（４２）及び鉤素（Ｂ）を結び付けるための鉤素接続用リング（４３）を有する線材（４１）が設けられ、
しかも、挿通孔（５）は、前側に形成された小径部（５ａ）と、後側に形成された大径部（５ｂ）とで構成されると共に、線材（４１）は、力糸接続用リング（４２）及び鉤素接続用リング（４３）のうち、少なくとも鉤素接続用リング（４３）の径が、挿通孔（５）の小径部（５ａ）よりも大きくて大径部（５ｂ）よりも小さく、
さらに、線材（４１）は、力糸接続用リング（４２）が挿通孔（５）の前端開口部から導出されて外部に位置するよう、且つ鉤素接続用リング（４３）が挿通孔（５）に挿通されて大径部（５ｂ）に位置するよう、挿通孔（５）に貫設されてなることを特徴とするルアー。
【請求項８】
挿通孔（５）の前端開口部及び後端開口部に、略筒状の保護部材（１０、１２）が嵌着されてなることを特徴とする請求項１乃至７のいずれか１項に記載のルアー。
【発明の詳細な説明】
【技術分野】
【０００１】
本発明は、釣りをした際に、岩などの障害物に根掛かりした場合にルアー本体を回収することができるようにしたルアーに関する。
【背景技術】
【０００２】
従来より、ルアーの回収具としては、円筒状の本体と、該本体に、その軸線に沿って形成された貫通孔と、該貫通孔に挿通された紐状体と、本体の両側に、軸線に対して直交する方向に設けられた一対のハンガーと、紐状体の先端部に取り付けられた磁石と、後述する二本の係止部を所定角度に維持した状態で束ねる筒体とから構成されたものが公知になっている（例えば特許文献１）。
【０００３】
上記紐状体には、その一端部に、釣り糸よりも強固なワイヤの端部が結びつけられるリングが形成されると共に、他端部に、Ｕ字形状に折り曲げられた二本の係止部が形成されている。
【０００４】
そして、紐状体のリングにワイヤを予め結びつけておいて、係止部をルアー側に向けた状態にして、釣り糸にハンガーの螺旋を係止させて滑走させる。この際、本体が錘となって水中に沈降してルアーに到達し、ルアーの掛針に回収具の磁石が磁着することになる。この状態においてワイヤを強く引くと、掛針が引っ張られて根掛かりを解除できると共に、ルアーの回収も可能になる。
【０００５】
また、他の従来例としては、内部（頭部から背びれにかけての部位）に前後方向に埋設された管と、内部（腹部）に埋設された錘と、内部（口の中）に埋設された、力糸を止着するための止着部材（アンカー）とを備えたルアーが公知になっている（例えば特許文献２）。
【０００６】
そして、道糸に結びつけられた鉤素を、管の前端開口部から挿通して後端開口部に導出し、この鉤素の導出端部に釣鉤を取り付け、力糸の一端部を止着部材に止着すると共に、その他端部を鉤素に結びつける。なお、鉤素の長さよりも力糸の長さを長くしておき、通常の釣りに際して、力糸に張力が係らないようにしておく。
【０００７】
そして、障害物に釣鉤が引っ掛かった場合、道糸を強く引くことによって、鉤素を切断し、道糸に結びつけられた力糸を介してルアー本体のみを回収できるようにしている。
【特許文献１】特開２００５−２３７２５５号公報
【特許文献２】登録実用新案第３０３８５８７号公報
【発明の開示】
【発明が解決しようとする課題】
【０００８】
しかしながら、上記特許文献１の場合、磁石の磁着力で掛針の障害物への根掛かりを常に解除できるとは考えにくく、ルアー本体の回収率も低くなると考えられる。
【０００９】
また、上記特許文献２の場合、鉤素と力糸が分岐された状態でルアー本体に結びつけられているので、水の抵抗を受けやすく、通常の釣りに際してルアー本体を思い通りに動かすことが難しいという問題がある。
【００１０】
そこで、本発明は、上記問題点を鑑み、根掛かりした場合のルアー本体を回収できることに加えて、通常の釣りに際してルアー本体を思い通りに動かすことができるようにしたルアーを提供することを目的とする。
【課題を解決するための手段】
【００１１】
前記課題を解決するために、本発明に係るルアーは、釣り竿から引き出される道糸に結び付けられる力糸Ａと、釣鉤２０に取り付けられて力糸Ａに結び付けられる鉤素Ｂとを挿通するための挿通孔５が、ルアー本体１を貫通して形成され、しかも、釣鉤２０は、挿通孔５の後端開口周縁部に接離可能に当接され、さらに、力糸Ａが挿通孔５から抜け出ることを防止するための抜け止め手段が設けられてなることを特徴とする。
【００１２】
この場合、道糸、力糸Ａ、鉤素Ｂが一直線状に繋がるので、釣りをする際、余分な抵抗を受けることなく、力糸Ａを介してルアー本体１を直接動かせることができる。一方、釣鉤２０が挿通孔５の後端開口周縁部に当接することで、力糸Ａの道糸方向への移動が規制されるので、根掛かりした際、引っ張り強度の小さい鉤素Ｂが切断されて、抜け止めされている力糸Ａによって、ルアー本体１を回収できるようになる。
【００１３】
さらに、釣鉤２０が挿通孔５の後端開口周縁部に接離可能であるので、釣ろうとする対象物に合わせて、釣鉤２０を適宜選択できて容易に交換できるようになる。
【００１４】
また、本発明によれば、上記抜け止め手段を、上記挿通孔５の前端開口周縁部に突設された、複数の雄ねじ片１６ｄからなるテーパ雄ねじ１６と、該各雄ねじ片１６ｄに螺合する筒状のテーパ雌ねじ１７とで構成し、各雄ねじ片１６ｄの先端部の内面に径内方向に突起１６ｅを形成し、各突起１６ｅの内面によって、挿通孔５に連通する連通孔１８を形成すると共に、該連通孔１８の径を、テーパ雌ねじ１７の螺合状態によって拡縮するような構成を採用することもできる。
【００１５】
この場合、テーパ雌ねじ１７が緩んだ状態で螺合している時は、各突起１６ｅが拡開して、連通孔１８が拡径されて、力糸Ａが挿通孔５に対して挿脱可能になる。一方、テーパ雌ねじ１７が緊締状態で螺合している時は、各突起１６ｅがテーパ雌ねじ１７の内周面によって径内方向に押圧されて、連通孔１８が縮径され、且つ力糸Ａの一部が各突起１６ｅによって圧接されて、力糸Ａが挿通孔５に対して抜け止めされる。
【００１６】
また、本発明によれば、上記抜け止め手段を、上記挿通孔５に交差するよう、且つ少なくとも一端部がルアー本体１を貫通するよう形成された連通孔２６と、該連通孔２６に移動自在に設けられた抜け止め部材２５とで構成し、該抜け止め部材２５を、力糸Ａを挿通するための通し孔３１が形成された抜け止め部材本体３０と、該抜け止め部材本体３０を連通孔２６の開口端部２７側に常時付勢する弾性部２９と、該弾性部２９の付勢力によって、連通孔２６の開口周縁部に接離可能に、且つ進退可能になるよう設けられた押圧部３２とで構成するようにしてもよい。
【００１７】
この場合、押圧部３２が連通孔２６の開口周縁部から離脱して後退している時は、通し孔３１が挿通孔５に位置し、力糸Ａが挿通孔５に対して挿脱可能になる。一方、押圧部３２が連通孔２６の開口周縁部に当接して進出している時は、通し孔３１が連通孔２６に位置し、通し孔３１に挿通された力糸Ａの部位が挿通孔５から連通孔２６に引き込まれて、力糸Ａが挿通孔５に対して抜け止めされる。
【００１８】
また、本発明によれば、上記ルアー本体１は魚形状を呈しており、押圧部３２が接離可能に、且つ進退可能になるよう設けられた上記連通孔２６の開口端部２７は、ルアー本体１の少なくとも一方の目の位置に形成されるような構成を採用することもできる。
【００１９】
この場合、抜け止め部材２５の押圧部３２を連通孔２６の開口端部２７から進出させても、市販されている魚形状のルアーと何ら変わりないので、違和感なく使用できて、釣果に影響を及ぼすことがない。
【００２０】
また、本発明によれば、上記抜け止め手段を、ルアー本体１を貫通して挿通孔５に連通するよう形成されたねじ孔３６と、該ねじ孔３６に螺合する螺棒３７と、挿通孔５に位置する該螺棒３７の先端部に設けられた、力糸Ａを抜け止めするための当接体３８とで構成するようなこともできる。
【００２１】
この場合、挿通孔５に力糸を挿通した状態で、螺棒３７をねじ込んでいくと、挿通孔５に位置する当接体３８が力糸Ａに圧接して、力糸Ａが抜け止めされる。
【００２２】
また、本発明によれば、ルアー本体１を貫通して挿通孔５が形成される一方、その両端部に、力糸Ａを結び付けるための力糸接続用リング４２、及び鉤素Ｂを結び付けるための鉤素接続用リング４３を有する線材４１が設けられ、しかも、挿通孔５は、前側に形成された小径部５ａと、後側に形成された大径部５ｂとで構成されると共に、線材４１は、力糸接続用リング４２及び鉤素接続用リング４３のうち、少なくとも鉤素接続用リング４３の径が、挿通孔５の小径部５ａよりも大きくて大径部５ｂよりも小さく、さらに、線材４１は、力糸接続用リング４２が挿通孔５の前端開口部から導出されて外部に位置するよう、且つ鉤素接続用リング４３が挿通孔５に挿通されて大径部５ｂに位置するよう、挿通孔５に貫設されてなることを特徴とする。
【００２３】
この場合、線材４１の鉤素接続用リング４３の径が挿通孔５の小径部５ａよりも大きいので、根掛かりした場合、小径部５ａと大径部５ｂの段差部に鉤素接続用リング４３が当接することになり、これによって、線材４１の移動が規制され、鉤素Ｂが切断されるようになる。そして、力糸Ａ、線材４１を介してルアー本体１を回収できるようになる。
【００２４】
また、本発明によれば、上記抜け止め手段を、上記挿通孔５の前側に形成された小径部５ａ及び後側に形成された大径部５ｂと、力糸Ａに結び付けられる、大径部５ｂよりも小さくて小径部５ａよりも大きな止めゴム又はガン玉からなる抜け止め部材４５とで構成し、力糸Ａを挿通孔５に挿通して、釣鉤２０を挿通孔５の後端開口周縁部に当接した状態において、力糸Ａに結び付けられた抜け止め部材４５を大径部５ｂに位置させるような構成を採用することもできる。
【００２５】
この場合、力糸Ａが挿通孔５に挿通された状態において、小径部５ａよりも大きい抜け止め部材４５が、大径部５ｂに位置するようになっているため、根掛かりによって力糸Ａが強く引っ張られた際、小径部５ａと大径部５ｂの段差部に抜け止め部材４５が当接することで、力糸Ａが抜け止めされて、ルアー本体１を回収できる。
【００２６】
また、本発明によれば、挿通孔５の前端開口部及び後端開口部に、略筒状の保護部材１０、１２を嵌着するような構成を採用することもできる。
【００２７】
この場合、力糸Ａや鉤素Ｂと、挿通孔５の前端開口部、及び後端開口部の内周面との摩耗抵抗を低減できる。また、保護部材１０，１２によって、力糸Ａの円滑な動きが維持されると共に、これに追従するルアー本体１も円滑な動きになる。さらに、ルアー本体１の長寿化が図れるようになる。
【発明の効果】
【００２８】
以上のように、本発明によれば、力糸及び鉤素が直線状に結び付けられた状態で、ルアー本体の挿通孔に挿通されて、外部に導出される。このため、釣りをする際、道糸に接続される力糸を介してルアー本体に直接アクションを掛けることができるので、水の抵抗を受けることなく、ルアー本体を思い通りに動かせる。一方、力糸は、抜け止め手段によってルアー本体の挿通孔から抜け出ることを防止されているので、根掛かりした際、鉤素が切断されることになり、ルアー本体を容易に回収でき、環境問題に多大に貢献できる効果がある。
【発明を実施するための最良の形態】
【００２９】
以下、本発明の実施形態１〜４に係るルアーについて、添付図面を参照しつつ説明する。
（実施形態１）
まず、本実施形態１に係るルアーの構成は、図１に示すように、魚形状を呈したルアー本体１と、該ルアー本体１の前端部（口部）から後端部（尾びれ部）を貫通して形成された挿通孔５と、該挿通孔５の前端開口部、及び後端開口部にそれぞれ嵌着された略筒状の保護部材１０と、後側の保護部材１２に接離可能に当接する釣鉤２０と、ルアー本体１の先端部に固設された円台錐状のテーパ雄ねじ１６と、該テーパ雄ねじ１６に螺合する筒状のテーパ雌ねじ１７とから構成されている。
【００３０】
ルアー本体１は、前部の両側に目が固着され、例えば鳥の羽などによって胸びれに似せて作られたひれ様体が植設されると共に、錘が設けられている（図示せず）。
【００３１】
挿通孔５は、前側に小径部５ａが形成され、該小径部５ａに連通すべく後側に大径部５ｂが連続して形成されている。そして、該挿通孔５には、釣り竿から引き出される道糸（図示せず）に結び付けられる力糸Ａと、釣鉤２０に取り付けられて力糸Ａに結び付けられる鉤素Ｂとが挿通され、大径部５ｂに、力糸Ａと鉤素Ｂとの結び目Ｃが位置している。
【００３２】
前側の保護部材１０は、円錐形状の着脱部１０ａと、該着脱部１０ａの端面から軸方向に延出された、着脱部１０ａよりも小径の筒状の延出部１０ｂと、着脱部１０ａ及び延出部１０ｂを貫通して形成された貫通孔１１とを備えている。後側の保護部材１２は、円台錐状を呈し、挿通孔５に連通する、該挿通孔５と同一径の貫通孔１３が形成されている。そして、貫通孔１３には、鉤素Ｂに結び付けられた釣鉤２０の取付軸２１が後方から挿通される。さらに、力糸Ａに接する部位は、摩擦抵抗を低減するために、全てアール加工されているものとする。
【００３３】
釣鉤２０は、直線状の大径の取付軸２１と、該取付軸２１の軸線に沿って延出された小径の延出軸２２と、取付軸２１の周面に、針先が斜め前方に向かって突出するよう、「レ」字形状に折り曲げられた複数の針２３を有している。そして、延出軸２２の先端部には、鉤素Ｂを結び付けるための目孔２４が形成されている。ルアー本体１に釣鉤２０を装着した際には、この延出軸２２は、挿通孔５の内部に位置することになる。また、結び付けられた鉤素Ｃの長さは、挿通孔５の内部において鉤素５が切断できればよく、比較的短めに設定されている。
【００３４】
テーパ雄ねじ１６は、外形が略円錐状になるよう、挿通孔５の前端開口周縁部に複数の雄ねじ片１６ｄが突設され、各雄ねじ片１６ｄの先端部の内面に径内方向に突起１６ｅが形成されている。そして、各突起１６ｅの内面によって、挿通孔５に連通する連通孔１８が形成されている。さらに、各雄ねじ片１６ｄの基端部１６ａは、挿通孔５の前端開口周縁部に固設され、該基端部１６ａの外周面にねじ溝１６ｂが形成されている。先端部は、傾斜面に沿って形成された切り込み１６ｃによって分割されている。また、突起１６ｅは、楔形状を呈し、テーパ雌ねじ１７の螺合によって力糸Ａに接離する。
【００３５】
テーパ雌ねじ１７の基端部の内周面に、各雄ねじ片１６ｄのねじ溝１６ｂに螺合する螺合部１７ａにより構成され、先端部の内周面１７ｂは、各雄ねじ片１６ｄとの螺合によって、各雄ねじ片１６ｄに圧接して連通孔１８を縮径するよう構成されている。
【００３６】
そして、上述したような構成のテーパ雄ねじ１６、及びテーパ雌ねじ１７によって抜け止め手段１５が構成されており、各雄ねじ片１６ｄは、テーパ雌ねじ１７が緩められた状態では、やや拡開した状態になる一方、テーパ雌ねじ１７が螺合するにしたがって、テーパ雌ねじ１７の内周面１７ｂが各雄ねじ１６ｄに圧接して、各雄ねじ１６ｄの突起１６ｅが縮径し、連通孔１８の前側が縮径される。即ち、テーパ雌ねじ１７の緊緩によって、力糸Ａの抜け止めとその解除とが成される。
【００３７】
つぎに使用態様について説明する。まず、ルアー本体１の各雄ねじ片１６ｄに螺合している雌ねじ１７を緩めて、各雄ねじ片１６ｄを拡開して連通孔１８を拡径し、力糸Ａの一端部を、テーパ雄ねじ１６の連通孔１８、ルアー本体１の挿通孔５の前端開口部を経て、挿通孔５の内部に導入し、挿通孔５の後端開口部から外部に導出する。一方、釣鉤２０の延出軸２２の目孔２４に鉤素Ｂの一端部を結びつけると共に、導出された力糸Ａの一端部と鉤素Ｂの他端部とを結びつける。続いて、力糸Ａをルアー本体１の前方に引っ張り、釣鉤２０をルアー本体１の後側の保護部材１２に当接する。最後に、テーパ雌ねじ１７を締め付けて、各雄ねじ片１６ｄを縮閉して連通孔１８を縮径し、力糸Ａに突起１６ｅを圧接して、力糸Ａを固定し、力糸Ａの他端部を、釣り竿から引き出された道糸に結びつける。
【００３８】
そして、釣りをする際、水中にルアー本体１を投げ入れて、道糸、力糸Ａを介してルアー本体１にアクションを掛けてトローリングを行うことになるが、道糸に一直線状に繋がっている力糸Ａが、ルアー本体１に抜け止めされているので、ルアー本体１にアクションを掛けやすくなり、ルアー本体１を思い通りに操作できる。
【００３９】
また、根掛かりした場合には、道糸を巻き取ることで、力糸Ａよりも引っ張り強度の弱い鉤素Ｂが切断されることになり、ルアー本体１に抜け止めされた力糸Ａを介して、ルアー本体１を回収することができる。なお、図示していないが、ルアー本体１において、力糸Ａの抜け止めを強化するよう、前側の保護部材１０の前方、及び挿通孔５の大径部５ｂに、ガン玉や浮き止めゴムを設けてもよい。
【００４０】
（実施形態２）
つぎに本発明の実施形態２に係るルアーについて、図２を参照して説明する。同図において、図１と同一符号は同一もしくは相当するものを示し、異なる点は以下の通りである。ルアー本体１は、抜け止め部材２５を内挿するための連通孔２６が、ルアー本体１の挿通孔５を交差するよう、両目の位置に貫通して形成されている。そして、連通孔２６の両側の開口端部２７は、後述する抜け止め部材２５の押圧部３２が接離可能に、且つ進退可能になるようやや小径になっている。さらに、ルアー本体１には、抜け止め部材２５（抜け止め部材本体３０）の移動をガイドするガイド体２８が、該抜け止め部材２５（抜け止め部材本体３０）の両側に突設されている。一方、抜け止め部材２５は、連通孔２６の開口端部２７の反対側に配される断面Ｕ字形状の弾性部２９と、一端部が該弾性部２９に固着された抜け止め部材本体３０と、該抜け止め部材本体３０に形成された力糸Ａの通し孔３１と、抜け止め部材本体３０の他端部に固着された半球形状の押圧部３２とを備えている。そして、押圧部３２と、弾性部２９の外面に形成された突起３３とが両目になっている。なお、突起３３を押圧部として兼用してもよい。
【００４１】
つぎに使用態様について説明する。通常、抜け止め部材２５の押圧部３２は、ルアー本体１の連通孔２６の開口端部２７から突出されており、この状態においては、抜け止め部材本体３０の通し孔３１は、ルアー本体１の連通孔２６に位置している。即ち、力糸Ａを挿通孔５に挿通できない状態になっている。
【００４２】
そして、押圧部３２を内側（図２の矢印方向）に押圧すると、抜け止め部材本体３０の通し孔３１が挿通孔５に位置して、通し孔３１と挿通孔５が連通状態、即ち力糸Ａが挿通可能な状態になる。この状態において、力糸Ａの一端部を、ルアー本体１の挿通孔５の前端開口部、抜け止め部材２５の通し孔３１を通って、挿通孔５の後端開口部から外部に導出する。この際、力糸Ａの導出長さとしては、釣鉤２０に結び付けられた鉤素Ｂを結べる程度にしておくことが好ましい。
【００４３】
つぎに、押圧部３２への押圧を解除すると、抜け止め部材本体３０の通し孔３１がルアー本体１の挿通孔５から連通孔２６に移行することに加えて、抜け止め部材本体３０が弾性部２９の付勢力によって連通孔２６側に付勢されるので、連通孔２６側に引き込まれた力糸Ａの部位が固定された状態になる。この状態において、釣鉤２０に結び付けられた鉤素Ｂに、導出された力糸Ａの一端部を結び付ける。その後、押圧部３２を再度押圧して、力糸Ａをルアー本体１の先端部側に引っ張って、釣鉤２０を挿通孔５の後端開口周縁部に当接する。
【００４４】
（実施形態３）
以下、本発明の実施形態３に係るルアーについて、図３を参照して説明する。同図において、図１と同一符号は同一もしくは相当するものを示し、異なる点は、抜け止め手段３５が、ルアー本体１の前側において、挿通孔５に連通すべく、該挿通孔５に対して直交する方向に形成されたねじ孔３６と、該ねじ孔３６に螺合する螺棒３７と、挿通孔５に位置する螺棒３７の先端部に設けられた半球形状の当接体３８と、挿通孔５に形成された、螺棒３７の当接体３８が係止する凹部３９とから構成されている点である。当接体３８は、他端部に、六角レンチやドライバなどの工具の先端部を嵌入するための嵌入孔が形成されている（図示せず）。
【００４５】
そして、工具の先端部を螺棒３７の嵌入孔に嵌入して、工具を回動して螺棒３７を締め付け、当接体３８を力糸Ａに圧接して、力糸Ａを抜け止めする。
【００４６】
（実施形態４）
以下、本発明の実施形態４に係るルアーについて、図４を参照して説明する。同図において、図１と同一符号は同一もしくは相当するものを示し、異なる点は、抜け止め部材４０が、ルアー本体１の挿通孔５に予め挿通された線材４１により構成されており、該線材４１の両端部には、力糸接続用リング４２、及び鉤素接続用リング４３が設けられている。
【００４７】
力糸接続用リング４２をルアー本体１の前側に位置させて、鉤素接続用リング４３を挿通孔５の大径部５ｂに位置させる。この状態で、鉤素接続用リング４３と釣鉤２０の鉤素Ｂとを結び付ける。
【００４８】
なお、前記各実施形態１〜４の場合、魚の形状を呈したルアーを例にとって説明したが、ワームや餌木等にも適用できるのは言うまでもない。また、図５に示すように、挿通孔５の前端開口部から挿通すると共に、後端開口部から外部に導出された力糸Ａに、挿通孔５の小径部５ａよりも大きくて大径部５ｂよりも小さな止めゴムやガン玉からなる抜け止め部材４５を結び付けて、抜け止めするようにしてもよい。要するに、力糸Ａを抜け止めして、鉤素２０を切断することで、ルアー本体１を回収できければよい。
【図面の簡単な説明】
【００４９】
【図１】本発明の実施形態１に係るルアーを示す断面図である。
【図２】本発明の実施形態２に係るルアーを示す断面図である。
【図３】本発明の実施形態３に係るルアーを示す断面図である。
【図４】本発明の実施形態４に係るルアーを示す断面図である。
【図５】本発明の他の実施形態に係るルアーを示す断面図である。
【符号の説明】
【００５０】
１…ルアー本体、５…挿通孔、５ａ…小径部、５ｂ…大径部、１０、１２…保護部材、１０ａ…着脱部、１０ｂ…延出部、１１、１３…貫通孔、１５…抜け止め部材、１６…テーパ雄ねじ、１６ａ…基端部、１６ｂ…ねじ溝、１６ｃ…切り込み、１６ｄ…雄ねじ片、１６ｅ…突起、１７…テーパ雌ねじ、１７ａ…螺合部、１７ｂ…内周面、１８…連通孔、２０…釣鉤、２１…取付軸、２２…延出軸、２３…針、２４…目孔、２５、３５、４０、４５…抜け止め部材、２６…連通孔、２７…開口端部、２８…ガイド体、２９…弾性部、３０…抜け止め部材本体、３１…通し孔、３２…押圧部、３３…突起、３６…ねじ孔、３７…螺棒、３８…当接体、３９…凹部、４１…線材、４２…力糸接続用リング、４３…鉤素接続用リング、Ａ…力糸、Ｂ…鉤素、Ｃ…結び目
【図１】
2007282594.tif 000003
【図２】
2007282594.tif 000004
【図３】
2007282594.tif 000005
【図４】
2007282594.tif 000006
【図５】
2007282594.tif 000007